(57)【要約】      （修正有）【課題】拡張性と互換性を兼ね備えたラックを提供する。【解決手段】電算装備を収納および保管するラック（ｒａｃｋ）１００は、第１サイズの幅を有する電算装備を収納するためのメインフレーム１１０、およびメインフレーム１１０内部でメインフレーム１１０と結合させ、第２サイズの幅を有する電算装備が収納されるようにラック１００の内部幅を制限する複数の追加フレーム１２０を備える。【選択図】図１
0003218117.tif 000002
【実用新案登録請求の範囲】
【請求項１】
電算装備を収納および保管するラック（ｒａｃｋ）であって、
第１サイズの幅を有する電算装備を収納するためのメインフレーム、および
前記メインフレームの内部で前記メインフレームに結合させ、第２サイズの幅を有する電算装備が収納されるようにラックの内部幅を制限する複数の追加フレーム
を含むことを特徴とする、ラック。
【請求項２】
前記第１サイズは、前記第２サイズよりも大きいことを特徴とする、請求項１に記載のラック。
【請求項３】
前記第１サイズは５３．３４センチメートル（（ｃｍ）２１インチ）であり、
前記第２サイズは４８．２６ｃｍ（１９インチ）であることを特徴とする、請求項１に記載のラック。
【請求項４】
前記複数の追加フレームは、前記メインフレームが構成する電算装備の収納空間の４つの角部分とそれぞれ結合する４つの追加フレームを備えることを特徴とする、請求項１に記載のラック。
【請求項５】
前記メインフレームが備えるホール（ｈｏｌｅ）と前記追加フレームそれぞれが備えるホールをボルトとナットを利用して結合させることにより、前記メインフレームに前記追加フレームそれぞれを固定させることを特徴とする、請求項１に記載のラック。
【請求項６】
前記追加フレームそれぞれは、前記メインフレームが備えるホール（ｈｏｌｅ）に係合させて固定させることのできる少なくとも１つのフック（ｈｏｏｋ）を備えることを特徴とする、請求項１に記載のラック。
【請求項７】
前記メインフレームは、前記追加フレームそれぞれを形状に応じて固定させるための結合部を備えることを特徴とする、請求項１に記載のラック。
【請求項８】
ＤＣコンバータモジュールを設置するための後面空間を構成する後面フレーム
をさらに備え、
前記後面フレームの少なくとも一部は、ケーブル管理のためにメッシュタイプで形成されることを特徴とする、請求項１に記載のラック。
【考案の詳細な説明】
【技術分野】
【０００１】
本考案の実施形態は、拡張性と互換性を兼ね備えたラック（ｒａｃｋ）に関する。
【背景技術】
【０００２】
データセンタのようなサーバ室などの基本プラットフォームであるラックとは、電算装備を内部に収納および保管する装置を意味するが、一例として、特許文献１は、ラックを構成するメインフレームと上板および下板との締結組み立ておよび分解を可能とし、サーバラックの運搬および設置を容易にしたサーバラックを開示している。
【０００３】
内部に収納される電算装備の大きさに応じて１９インチ（４８．２６センチメートル（ｃｍ））標準ラックや２１インチ（５３．３４ｃｍ）ラックのような様々な大きさのラックが提供されており、基本電源のＡＣ２２０Ｖや追加電源供給用のＤＣ電源のような様々な電源供給方式を備えている。
【０００４】
しかし、このような従来技術のラックには、一例として、１９インチのラックの使用中に２１インチのラックを使用するためにはラック自体を１９インチのラックから２１インチのラックに１：１で交換しなければならないという問題がある。さらに、特定の電源供給方式を支援しないラックも、該当の電源供給方式を使用するためにはラック自体を変更しなければならないという問題もある。
【先行技術文献】
【特許文献】
【０００５】
【特許文献１】韓国登録実用新案第２０−０２０７３２９号公報
【考案の概要】
【考案が解決しようとする課題】
【０００６】
一例として、１９インチから２１インチ、再び２１インチから１９インチのように互いに異なる大きさに拡張または互換可能なラックを提供する。
【０００７】
ＡＣ電源供給方式とＤＣ電源供給方式の互換が可能なラックを提供する。
【課題を解決するための手段】
【０００８】
電算装備を収納および保管するラック（ｒａｃｋ）であって、第１サイズの幅を有する電算装備を収納するためのメインフレーム、および前記メインフレームの内部で前記メインフレームと結合させ、第２サイズの幅を有する電算装備が収納されるようにラックの内部幅を制限する複数の追加フレームを備えることを特徴とする、ラックが提供される。
【０００９】
一態様によると、前記第１サイズは、前記第２サイズよりも大きいことを特徴としてよい。
【００１０】
他の態様によると、前記第１サイズは２１インチであり、前記第２サイズは１９インチであることを特徴としてよい。
【００１１】
また他の態様によると、前記複数の追加フレームは、前記メインフレームが構成する電算装備の収納空間の４つの角部分とそれぞれ結合する４つの追加フレームを備えることを特徴としてよい。
【００１２】
また他の態様によると、前記メインフレームが備えるホール（ｈｏｌｅ）と前記追加フレームそれぞれが備えるホールをボルトとナットを利用して結合することにより、前記メインフレームに前記追加フレームそれぞれを固定させることを特徴としてよい。
【００１３】
また他の態様によると、前記追加フレームそれぞれは、前記メインフレームが備えるホール（ｈｏｌｅ）に係合させて固定させることのできる少なくとも１つのフック（ｈｏｏｋ）を備えることを特徴としてよい。
【００１４】
また他の態様によると、前記メインフレームは、前記追加フレームそれぞれを形状に応じて固定させるための結合部を備えることを特徴としてよい。
【００１５】
さらに他の態様によると、前記ラックは、ＤＣコンバータモジュールを設置するための後面空間を構成する後面フレームをさらに備え、前記後面フレームの少なくとも一部は、ケーブル管理のためにメッシュタイプで形成されることを特徴としてよい。
【考案の効果】
【００１６】
１つのラックにおいて、一例として、１９インチから２１インチ、再び２１インチから１９インチのような互いに異なる大きさへの拡張または互換機能を提供することができ、ＡＣ電源供給方式とＤＣ電源供給方式の互換も可能にすることができる。
【図面の簡単な説明】
【００１７】
【図１】本考案の一実施形態における、ラックの斜視図である。
【図２】本考案の一実施形態における、ラックの平面図である。
【図３】本考案の一実施形態における、第１サイズの装備のための棚がメインフレームに結合する例を簡単に示した図である。
【図４】本考案の一実施形態における、第２サイズの装備のための棚が追加フレームを利用して結合する例を簡単に示した図である。
【図５】本考案の一実施形態によって製作されたラックを正面の多様な角度から視た図である。
【図６】本考案の一実施形態によって製作されたラックに追加フレームを設置する前と後の様子を比較するための図である。
【図７】本考案の一実施形態によって製作されたラックを背面から視た図である。
【図８】本考案の一実施形態によって製作されたラックを右側面から視た図である。
【図９】本考案の一実施形態によって製作されたラックを左側面から視た図である。
【図１０】本考案の一実施形態における、追加フレームの例を示した斜視図である。
【図１１】本考案の他の実施形態における、追加フレームの例を示した斜視図である。
【図１２】本考案の他の実施形態における、追加フレームの例を示した斜視図である。
【考案を実施するための形態】
【００１８】
以下、本考案の実施形態について、添付の図面を参照しながら詳細に説明する。
【００１９】
本考案の利点および特徴、またはこれらを達成する方法は、添付の図面と共に詳細に後述される実施形態を参照すれば明確になるであろう。しかし、本考案は、以下で開示される実施形態に限定されるものではなく、互いに異なる多様な形態で実現されるであろう。本実施形態は、本考案の開示が完全となるようにし、本考案が属する技術分野において通常の知識を有する者に考案の範囲を完全に知らせるために提供されるものに過ぎず、本考案は特許請求の範囲によってのみ定義される。
【００２０】
要素（ｅｌｅｍｅｎｔｓ）または層が他の要素または層の「上（ｏｎ）」にあると指称されるとき、他の要素の直ぐ上にある場合と、中間に他の層または他の要素を介在する場合をすべて含む。なお、明細書全体に渡り、同じ参照符号は同じ構成要素を指称する。
【００２１】
第１、第２などが多様な構成要素を叙述するために使用されるが、これらの構成要素がこれらの用語によって制限されてはならないのは当然である。これらの用語は、１つの構成要素を他の構成要素と区別するために使用されるものである。したがって、以下で言及される第１構成要素は、本考案の技術的思想内で第２構成要素であってもよいことは当然である。
【００２２】
図１および図２は、本考案の一実施形態に係るラック（ｒａｃｋ）を示している。ここで、図１および図２は、第１サイズの幅を有する電算装備を収納するためのラック１００のメインフレーム１１０と、このようなメインフレーム１１０の内部に係合される４つの追加フレーム１２０により、ラック１００の幅が第２サイズの幅を有する電算装備を収納するためのラック１００に互換された例を示している。
【００２３】
ここで、第１サイズは、第２サイズよりも大きくてよい。例えば、第１サイズは２１インチであってよく、第２サイズは１９インチであってよい。１９インチの装備のための国際規格のラックは、幅（ｗｉｄｔｈ）が６００ｍｍであり、深さ（ｄｅｐｔｈ）が７５０〜８００ｍｍであるものが一般的である。２１インチの装備のためのラックは、通常の幅が７００ｍｍで実現される。このような第１サイズおよび第２サイズ、あるいは第１サイズと第２サイズの差は、ラックに収納しようとする電算装備の大きさに応じて多様に設定されてよいことは、容易に理解することができるであろう。
【００２４】
また、本実施形態では、メインフレーム１１０が構成する電算装備の収納空間の４つの角部分とそれぞれ結合する４つの追加フレーム１２０を開示しているが、メインフレーム１１０の内部でラック１００の幅を制限することのできる複数の追加フレームであれば、メインフレーム１１０での結合位置や追加フレーム１２０の個数、追加フレーム１２０それぞれの形状が制限されることはない。例えば、２つの追加フレームをメインフレーム１１０の左側面と右側面にそれぞれ結合してラック１００の幅を制限してもよい。
【００２５】
このように、本考案の実施形態では、第１サイズのためのラック１００のメインフレーム１１０の内部に追加フレーム１２０を結合することにより、少なくともラックの内部の幅を制限し、必要な第２サイズのためのラック１００に互換することができる。これとは逆に、ラック１００から追加フレーム１２０を取り除くことにより、第２サイズのためのラック１００を第１サイズのためのラック１００に拡張することもできる。
【００２６】
メインフレーム１１０と追加フレーム１２０の着脱／係合方式が極めて多様に存在することは、当業者であれば、本考案の実施形態を参照しながら容易に理解することができるであろう。例えば、メインフレーム１１０は、追加フレーム１２０を係合させて固定させることのできる結合部を備えてよい。他の例として、追加フレーム１２０は、メインフレーム１１０が備えるホール（ｈｏｌｅ）に係合させて固定させることのできる少なくとも１つのフック（ｈｏｏｋ）のような結合部を備えてもよい。また他の例として、メインフレーム１１０と追加フレーム１２０がそれぞれ備えるホールに、ボルトとナットを利用してメインフレーム１１０と追加フレーム１２０を結合してもよい。
【００２７】
図３は、本考案の一実施形態における、第１サイズの装備のための棚がメインフレームに結合する例を簡単に示した図であり、図４は、本考案の一実施形態における、第２サイズの装備のための棚が追加フレームを利用して結合する例を簡単に示した図である。
【００２８】
図３は、メインフレーム１１０と、このようなメインフレーム１１０に直接結合する第１サイズの装備のための第１棚３１０の例を示している。この反面、図４は、メインフレーム１１０に４つの追加フレーム１２０を結合し、このような追加フレームに第２サイズの装備のための第２棚４１０を結合した例を簡単に説明している。
【００２９】
図５は、本考案の一実施形態によって製作されたラックの正面の多様な角度から視た図である。図５の視点は、上述したラック１００のメインフレーム１１０の内部に４つの追加フレーム５１０、５２０、５３０、５４０を結合することにより、２１インチのためのラックが１９インチのためのラックに互換される例を示している。ここで、４つの追加フレーム５１０、５２０、５３０、５４０は、上述した追加フレーム１２０に対応してよい。
【００３０】
図６は、本考案の一実施形態によって製作されたラックに追加フレームを設置する前と後の様子を比較するための図である。図６の視点６００において、第１点線ボックス６１０は、追加フレーム１２０が結合してないメインフレーム１１０の一部を示しており、第２点線ボックス６２０は、追加フレーム１２０が結合したメインフレーム１１０の一部を示している。
【００３１】
このように、図５および図６は、追加フレーム１２０の結合の有無だけで、１９インチのためのラックと２１インチのためのラックの互換および拡張を可能にする製作例を示している。
【００３２】
図７は、本考案の一実施形態によって製作されたラックを背面から視た図であり、図８は、本考案の一実施形態によって製作されたラックを右側面から視た図であり、図９は、本考案の一実施形態によって製作されたラックを左側面から視た図である。
【００３３】
図７の第１視点７００は上述したラック１００の背面の一部を、図８の第２視点８００はラック１００の右側面ビューを、図９の第３視点９００はラック１００の左側面ビューをそれぞれ示している。ここで、第１視点７００、第２視点８００、および第３視点９００は、ラック１００のメインフレーム１１０が電算装備を収納するための空間とは別の後面空間を形成していることを示している。例えば、電算装備を収納するための空間は、４つの追加フレーム５１０、５２０、５３０、５４０を利用して２１インチから１９インチに縮小された空間を意味してよく、電算装備を収納するための空間の後方には、別の後面空間が形成されてよい。
【００３４】
このようなラック１００の後面空間は、ＤＣ電源を提供するためのＤＣコンバータモジュールの設置空間として活用してもよいし、ＯＣＰ（Ｏｖｅｒ  Ｃｕｒｒｅｎｔ  Ｐｒｏｔｅｃｔｉｏｎ）ＤＣ電源のバスダクトを適用するための空間として活用してもよい。このようなラック１００の後面空間に配置されるＤＣコンバータモジュールにより、一例として、基本電源としてのＡＣ２２０Ｖの提供と同時に、ＤＣコンバータモジュールを経由するＤＣ電源の供給が可能となり、これによって多様な電源供給方式の提供が可能となる。また、ラック１００の後面空間を構成する後面フレームの少なくとも一部には、ケーブル管理のためのメッシュタイプの網７１０を適用してよい。
【００３５】
また、第１視点７００、第２視点８００、および第３視点９００では、ラック１００の移動を便利に行うために、ラックの底面に複数のタイヤ７２０が実現された様子を示している。
【００３６】
図１０は、本考案の一実施形態における、追加フレームの斜視図である。上述したように、上述したような追加フレーム１２０は、メインフレーム１１０の内部でラック１００の幅を制限することのできるフレームであれば、メインフレーム１１０での結合位置や要求される追加フレーム１２０の個数、および追加フレーム１２０の形状が制限されることはない。図１０の実施形態では、追加フレーム１２０が直方体の形状であり、内部が空洞であり、一側面が開放された構造であり、メインフレーム１１０との結合のためのフック１０１０を備える様子を示している。フック１０１０の形状や長さ、配置位置などは、メインフレーム１１０が備えるホールの間隔や長さ、幅、大きさ、配置位置などに応じて決定されてよい。また、追加フレーム１２０は、電算装備または電算装備を収納するための棚（一例として、図４の第２棚４１０）との結合が可能なように複数のホール１０２０を備えてよい。
【００３７】
上述したように、他の実施形態において、追加フレーム１２０は、フック１０１０の代わりにボルトとナットによってメインフレーム１１０と結合させてもよい。また他の実施形態において、メインフレーム１１０が、追加フレーム１２０の形状に応じた追加フレーム１２０を固定させるための結合部を備えてよく、追加フレーム１２０は、結合部に挟まれる形態でメインフレーム１１０と結合してもよい。
【００３８】
図１１および図１２は、本考案の他の実施形態における、追加フレームの例を示した斜視図である。図１１および図１２では、図２の実施形態を参照しながら説明した形状の追加フレーム１２０を互いに異なる角度から示した斜視図を示している。本実施形態に係る追加フレーム１２０は、メインフレーム１１０との連結のための複数のホール１１１０を備えている。例えば、追加フレーム１２０は、ホール１１１０を介したボルト締結方式によってメインフレーム１１０と結合してよい。また、追加フレーム１２０も、電算装備、または電算装備を収納するための棚（一例として、図４の第２棚４１０）と結合可能なように複数のホール１１２０をさらに備えてよい。
【００３９】
図１０で説明したホール１０２０や図１１および図１２で説明したホール１１２０は、結合される電算装備や棚の高さの調節可能なように、図１０〜図１２で示すように追加フレーム１２０に沿って複数個が実現されてよい。
【００４０】
このように、本考案の実施形態によると、１つのサーバラックにおいて、一例として、１９インチから２１インチ、再び２１インチから１９インチのように互いに異なる大きさへの拡張または互換機能を提供することができ、さらにＡＣ電源供給方式とＤＣ電源供給方式の互換を可能にすることができる。
【００４１】
以上のように、実施形態を、限定された実施形態と図面に基づいて説明したが、当業者であれば、上述した記載から多様な修正および変形が可能である。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００４２】
したがって、異なる実現、異なる実施形態、および特許請求の範囲と均等なものであれば、添付される特許請求の範囲に属する。
【符号の説明】
【００４３】
１００：ラック
１１０：メインフレーム
１２０：追加フレーム
【図１】
0003218117.tif 000003
【図２】
0003218117.tif 000004
【図３】
0003218117.tif 000005
【図４】
0003218117.tif 000006
【図５】
0003218117.tif 000007
【図６】
0003218117.tif 000008
【図７】
0003218117.tif 000009
【図８】
0003218117.tif 000010
【図９】
0003218117.tif 000011
【図１０】
0003218117.tif 000012
【図１１】
0003218117.tif 000013
【図１２】
0003218117.tif 000014